(57)【要約】【課題】二次電池の製造において電解質層を支持する基材を剥離する際に、電極合剤層が集電体から剥離することを抑制できる二次電池用電極を提供すること。【解決手段】本発明の一側面は、集電体と、集電体の一方の面上に設けられ、バインダポリマ及び導電性フィラを含有する導電層と、導電層の集電体と反対側の面上に設けられ、電極活物質、イオン液体及び電解質塩を含有する電極合剤層と、を備える、二次電池用電極である。【選択図】図６
2019169444.tif 000002
【特許請求の範囲】
【請求項１】
集電体と、
前記集電体の一方の面上に設けられ、バインダポリマ及び導電性フィラを含有する導電層と、
前記導電層の前記集電体と反対側の面上に設けられ、電極活物質、イオン液体及び電解質塩を含有する電極合剤層と、
を備える、二次電池用電極。
【請求項２】
前記導電性フィラが、導電性炭素材料のフィラである、請求項１に記載の電極。
【請求項３】
前記導電性炭素材料が、黒鉛、アセチレンブラック、ケッチェンブラック及び炭素繊維からなる群より選ばれる少なくとも１種である、請求項２に記載の電極。
【請求項４】
前記バインダポリマが、アクリルポリマ及びスチレン−ブタジエンコポリマからなる群より選ばれる少なくとも１種である、請求項１〜３のいずれか一項に記載の電極。
【請求項５】
前記イオン液体が、カチオン成分として、鎖状四級オニウムカチオン、ピペリジニウムカチオン、ピロリジニウムカチオン、ピリジニウムカチオン及びイミダゾリウムカチオンからなる群より選ばれる少なくとも１種を含有し、
前記イオン液体が、アニオン成分として、下記式（Ｉ）で表されるアニオン成分の少なくとも１種を含有する、請求項１〜４のいずれか一項に記載の電極。
Ｎ（ＳＯ２ＣｍＦ２ｍ＋１）（ＳＯ２ＣｎＦ２ｎ＋１）−        （Ｉ）
［ｍ及びｎは、それぞれ独立に０〜５の整数を表す。］
【請求項６】
前記電解質塩が、リチウム塩、ナトリウム塩、カルシウム塩及びマグネシウム塩からなる群より選ばれる少なくとも１種である、請求項１〜５のいずれか一項に記載の電極。
【請求項７】
一対の電極と、
前記一対の電極間に設けられた電解質層と、を備え、
前記一対の電極の少なくとも一方が、請求項１〜６のいずれか一項に記載の電極である、二次電池。
【請求項８】
前記電解質層が、ポリマと、酸化物粒子と、電解質塩と、イオン液体とを含有する、請求項７に記載の二次電池。
【請求項９】
一対の電極と、前記一対の電極間に設けられた電解質層と、を備える二次電池の製造方法であって、
集電体の一方の面上に、バインダポリマ及び導電性フィラを含有する導電層を設け、前記導電層の前記集電体と反対側の面上に、電極活物質、イオン液体及び電解質塩を含有する電極合剤層を更に設けることにより、前記一対の電極の少なくとも一方を作製する工程と、
前記少なくとも一方の電極の前記電極合剤層側に、プレス加工により前記電解質層を設ける工程と、を備える、二次電池の製造方法。
求項７に記載の二次電池。
【請求項１０】
前記プレス加工時の温度が１２０℃以下である、請求項９に記載の二次電池の製造方法。
【発明の詳細な説明】
【技術分野】
【０００１】
本発明は、二次電池用電極、二次電池及びその製造方法に関する。
【背景技術】
【０００２】
近年、携帯型電子機器、電気自動車等の普及により、高性能な二次電池が必要とされている。中でもリチウム二次電池は、高いエネルギ密度を有するため、携帯型電子機器、電気自動車等の電源として利用されている。リチウム二次電池には高い安全性が求められており、その手段として、全固体電池の開発が進められている。
【０００３】
全固体電池においては、電解液の代わりに、ポリマ電解質又は無機固体電解質といった固体電解質の層（電解質層）が電極合剤層上に設けられている（例えば特許文献１）。このような全固体電池においては、電解質層に溶媒が添加される場合がある。例えば、特許文献２には、ポリマ電解質等の電解質層にイオン液体が含まれた電池が開示されている。
【先行技術文献】
【特許文献】
【０００４】
【特許文献１】特開２００６−２９４３２６号公報
【特許文献２】国際公開第２０１１/０３７０６０号
【発明の概要】
【発明が解決しようとする課題】
【０００５】
ところで、ポリマ電解質層をシート状に形成して全固体電池に適用する場合には、まず、シート状のポリマ電解質層を形成するために、電解質層を支持する基材が必要となる。そして、基材上に形成された電解質層を、集電体上に形成された電極合剤層（電極）に貼り付け、基材を剥離することによって、電極と電解質層との積層体が得られることとなる。本発明者らの検討によれば、基材を剥離する際に電極合剤層（及び電解質層）も集電体から剥がれてしまうおそれがあり、このような問題は、特に、電極合剤層がイオン液体及び電解質塩を含む場合に生じ得ることが判明した。
【０００６】
そこで、本発明は、二次電池の製造において電解質層を支持する基材を剥離する際に、電極合剤層が集電体から剥離することを抑制できる二次電池用電極、それを用いた二次電池及びその製造方法を提供することを目的とする。
【課題を解決するための手段】
【０００７】
本発明の一側面は、集電体と、集電体の一方の面上に設けられ、バインダポリマ及び導電性フィラを含有する導電層と、導電層の集電体と反対側の面上に設けられ、電極活物質、イオン液体及び電解質塩を含有する電極合剤層と、を備える、二次電池用電極である。
【０００８】
この二次電池用電極では、バインダポリマ及び導電性フィラを含有する導電層が、電極合剤層を集電体に好適に接着させているため、二次電池の製造において、電極合剤層の導電層と反対側の面上に、基材に支持された電解質層を設けた後、基材を剥離する際に、電極合剤層（及び電解質層）が集電体から剥離することを抑制できる。また、導電層が導電性フィラを含有しているため、電極の抵抗上昇を抑制しつつ、上述した電極合剤層の集電体に対する好適な接着性を得ることができる。
【０００９】
導電性フィラは、導電性炭素材料のフィラであってよく、導電性炭素材料は、黒鉛、アセチレンブラック、ケッチェンブラック及び炭素繊維からなる群より選ばれる少なくとも１種であってよい。
【００１０】
バインダポリマは、アクリルポリマ及びスチレン−ブタジエンコポリマからなる群より選ばれる少なくとも１種であってよい。
【００１１】
イオン液体は、カチオン成分として、鎖状四級オニウムカチオン、ピペリジニウムカチオン、ピロリジニウムカチオン、ピリジニウムカチオン及びイミダゾリウムカチオンからなる群より選ばれる少なくとも１種を含有し、アニオン成分として、下記式（Ｉ）で表されるアニオン成分の少なくとも１種を含有してよい。
Ｎ（ＳＯ２ＣｍＦ２ｍ＋１）（ＳＯ２ＣｎＦ２ｎ＋１）−        （Ｉ）
［ｍ及びｎは、それぞれ独立に０〜５の整数を表す。］
【００１２】
電解質塩は、リチウム塩、ナトリウム塩、カルシウム塩及びマグネシウム塩からなる群より選ばれる少なくとも１種であってよい。
【００１３】
本発明の他の一側面は、一対の電極と、一対の電極間に設けられた電解質層と、を備え、一対の電極の少なくとも一方が上記の電極である、二次電池である。電解質層は、ポリマと、酸化物粒子と、電解質塩と、イオン液体とを含有してよい。
【００１４】
本発明の他の一側面は、一対の電極と、一対の電極間に設けられた電解質層と、を備える二次電池の製造方法であって、集電体の一方の面上に、バインダポリマ及び導電性フィラを含有する導電層を設け、導電層の集電体と反対側の面上に、電極活物質、イオン液体及び電解質塩を含有する電極合剤層を更に設けることにより、一対の電極の少なくとも一方を作製する工程と、一方の電極の電極合剤層側に、プレス加工により電解質層を設ける工程と、を備える二次電池の製造方法である。プレス加工時の温度は、１２０℃以下であってよい。
【発明の効果】
【００１５】
本発明によれば、二次電池の製造において電解質層を支持する基材を剥離する際に、電極合剤層が集電体から剥離することを抑制できる二次電池用電極、それを用いた二次電池及びその製造方法を提供することができる。
【図面の簡単な説明】
【００１６】
【図１】一実施形態に係る二次電池を示す斜視図である。
【図２】図１に示した二次電池における電極群の一実施形態を示す分解斜視図である。
【図３】図１に示した二次電池における電極群の一実施形態を示す模式断面図である。
【図４】電極群の他の一実施形態を示す模式断面図である。
【図５】電極群の他の一実施形態を示す模式断面図である。
【図６】一実施形態に係る二次電池（電極群）の製造方法を示す模式断面図である。
【発明を実施するための形態】
【００１７】
以下、図面を適宜参照しながら、本発明の実施形態について説明する。ただし、本発明は以下の実施形態に限定されるものではない。以下の実施形態において、その構成要素（ステップ等も含む）は、特に明示した場合を除き、必須ではない。各図における構成要素の大きさは概念的なものであり、構成要素間の大きさの相対的な関係は各図に示されたものに限定されない。また、図面の説明において同一の要素には同一の符号を付し、重複する説明を省略する。
【００１８】
本明細書における数値及びその範囲は、本発明を制限するものではない。本明細書において「〜」を用いて示された数値範囲は、「〜」の前後に記載される数値をそれぞれ最小値及び最大値として含む範囲を示す。本明細書において段階的に記載されている数値範囲において、一つの数値範囲で記載された上限値又は下限値は、他の段階的な記載の上限値又は下限値に置き換えてもよい。また、本明細書中に記載される数値範囲において、その数値範囲の上限値又は下限値は、実施例に示されている値に置き換えてもよい。
【００１９】
図１は、一実施形態に係る二次電池を示す斜視図である。図１に示すように、二次電池１は、正極、負極及び電解質層から構成される電極群２と、電極群２を収容する袋状の電池外装体３とを備えている。正極及び負極には、それぞれ正極集電タブ４及び負極集電タブ５が設けられている。正極集電タブ４及び負極集電タブ５は、それぞれ正極及び負極が二次電池１の外部と電気的に接続可能なように、電池外装体３の内部から外部へ突き出している。
【００２０】
電池外装体３は、例えばラミネートフィルムで形成されていてよい。ラミネートフィルムは、例えば、ポリエチレンテレフタレート（ＰＥＴ）フィルム等の樹脂フィルムと、アルミニウム、銅、ステンレス鋼等の金属箔と、ポリプロピレン等のシーラント層とがこの順で積層された積層フィルムであってよい。
【００２１】
図２は、図１に示した二次電池１における電極群２の一実施形態を示す分解斜視図である。図３は、図１に示した二次電池１における電極群２の一実施形態を示す模式断面図である。図２及び図３に示すように、本実施形態に係る電極群２Ａは、正極６と、電解質層７と、負極８とをこの順に備えている。
【００２２】
正極６は、正極集電体９と、正極集電体９の一方の面上に設けられた導電層１０と、導電層１０の正極集電体９と反対側の面上に設けられた正極合剤層１１とを備えている。正極集電体９には、正極集電タブ４が設けられている。負極８は、負極集電体１２と、負極集電体１２の一方の面上に設けられた導電層１０と、導電層１０の負極集電体１２と反対側の面上に設けられた負極合剤層１３とを備えている。負極集電体１２には、負極集電タブ５が設けられている。以下、正極６及び負極８をまとめて電極６，８ともいい、正極集電体９及び負極集電体１２をまとめて集電体９，１２ともいい、正極合剤層１１及び負極合剤層１３をまとめて電極合剤層１１，１３ともいう。
【００２３】
正極集電体９は、アルミニウム、ステンレス鋼、チタン等で形成されていてよい。正極集電体９は、具体的には、例えば孔径０．１〜１０ｍｍの孔を有するアルミニウム製穿孔箔、エキスパンドメタル、発泡金属板等であってよい。正極集電体９は、上記以外にも、電池の使用中に溶解、酸化等の変化を生じないものであれば、任意の材料で形成されていてよく、また、その形状、製造方法等も制限されない。
【００２４】
正極集電体９の厚さは、１０μｍ以上であってよく、１００μｍ以下であってよい。正極集電体９の厚さは、正極全体の体積を小さくする観点から、好ましくは１０μｍ以上５０μｍ以下であり、電池を形成する際に小さな曲率で正極を捲回する観点から、より好ましくは１０μｍ以上２０μｍ以下である。
【００２５】
導電層１０は、バインダポリマと、導電性フィラとを含有する。
【００２６】
バインダポリマは、導電性フィラを保持でき、電極合剤層１１，１３）を集電体（正極集電体９）に接着可能な接着性を有するポリマであればよい。バインダポリマは、例えば、アクリルポリマ、スチレン−ブタジエンコポリマ、ポリエチレンオキサイド、アクリロニトリル−スチレン−ブタジエン共重合体等であってよく、電池の長期安定性に優れる観点から、好ましくは、アクリルポリマ及びスチレン−ブタジエンコポリマからなる群より選ばれる少なくとも１種である。
【００２７】
アクリルポリマは、モノマ単位として、（メタ）アクリルモノマを含む。（メタ）アクリルモノマは、（メタ）アクリロイル基を一つ有する単官能（メタ）アクリルモノマ、及び（メタ）アクリロイル基を二つ以上有する多官能（メタ）アクリルモノマからなる群より得られる少なくとも１種であってよい。
【００２８】
単官能（メタ）アクリルモノマは、例えば、下記式（１）で表されるモノマであってよい。
【化１】
2019169444.tif 000003
式（１）中、Ｒ１は、水素原子又はメチル基を表し、Ｒ２は、水素原子又は置換若しくは無置換のアルキル基を表す。
【００２９】
Ｒ２で表される無置換のアルキル基は、例えば炭素数３〜２０の直鎖又は分岐のアルキル基であってよい。当該アルキル基は、好ましくは直鎖のアルキル基である。当該アルキル基の炭素数は、好ましくは３〜１２、より好ましくは３〜８である。
【００３０】
Ｒ２で表される置換のアルキル基は、窒素原子又は酸素原子を有していてよく、例えば、アルキル基中のメチル基がシアノ基で置換された基、アルキル基中の水素原子が水酸基で置換された基であってよい。具体的には、置換のアルキル基は、例えば、２−シアノエチル基、炭素数５〜２０のヒドロキシアルキル基等であってよい。
【００３１】
単官能（メタ）アクリルモノマの含有率は、集電体９，１２と電極合剤層１１，１３との間の密着性に更に優れる観点から、アクリルポリマのモノマ全量を基準（１００モル％）として、好ましくは３０モル％以上、より好ましくは４０モル％以上、更に好ましくは５５モル％以上であり、好ましくは８０モル％以下、より好ましくは７０モル％以下、更に好ましくは６５モル％以下である。
【００３２】
多官能（メタ）アクリルモノマは、例えば、下記式（２）で表されるモノマであってよい。
【化２】
2019169444.tif 000004
式（２）中、Ｒ３は水素原子又はメチル基を表し、Ｒ４はｎ価の有機基を表す。ｎは２〜６の数、好ましくは３〜４の数を表す。式（２）で表されるモノマが単一の分子種である場合、ｎは整数である。複数存在するＲ３は、互いに同一でも異なっていてもよい。
【００３３】
Ｒ４で表されるｎ価の有機基としては、炭素数２〜２０の脂肪族炭化水素からｎ個の水素原子を取り除いて構成される炭素数が２〜２０であるｎ価の脂肪族炭化水素基；炭素数２〜４のアルキレングリコールの２以上が互いにエーテル結合してなるポリアルキレングリコールの両末端からヒドロキシ基を取り除いて構成されるポリアルキレンオキシアルキレン基；グリセリン、ジグリセリン、ネオペンチルグリコール、ペンタエリスリトール、ジペンタエリスリトール、トリメチロールプロパン等の炭素数３〜２０の多価アルコール又はそのヒドロキシアルキル化物からｎ個のヒドロキシル基を取り除いて構成されるｎ価の有機基；イソシアヌル酸又はそのヒドロキシアルキル化物からｎ個のヒドロキシル基を取り除いて構成されるｎ価の有機基；などを挙げることができる。
【００３４】
多官能（メタ）アクリルモノマは、上記のとおり２以上のエチレン性不飽和結合を有しているため、架橋剤としての役割を果たす。アクリルポリマは、多官能（メタ）アクリルモノマに加えて、あるいは多官能（メタ）アクリルモノマに代えて、エチレン性不飽和結合を含む２以上の官能基と、官能基を互いに連結する２価以上の連結基である有機基とを有する化合物（架橋剤）の１種又は２種以上をモノマ単位として含んでいてよい。
【００３５】
多官能（メタ）アクリルモノマの含有量、又は上記架橋剤の含有量（総量）は、アクリルポリマのモノマ全量１００質量部に対して、好ましくは０．０１質量部以上、より好ましくは０．０５質量部以上、更に好ましくは０．０２質量部以上であり、好ましくは５．０質量部以下、より好ましくは３．０質量部以下、更に好ましくは０．２質量部以下である。
【００３６】
多官能（メタ）アクリルモノマの含有率、又は上記架橋剤の含有率（総量）は、アクリルポリマのモノマ全量（１００モル％）を基準として、好ましくは０．００１モル％以上、より好ましくは０．００５モル％以上、更に好ましくは０．０２モル％以上であり、好ましくは１．０モル％以下、より好ましくは０．５モル％以下、更に好ましくは０．２モル％以下である。
【００３７】
アクリルポリマは、モノマ単位として、（メタ）アクリロニトリルを含んでいてよい。（メタ）アクリロニトリルの含有率は、集電体９，１２と電極合剤層１１，１３との間の密着性に更に優れる観点から、アクリルポリマのモノマ全量を基準（１００モル％）として、好ましくは２０モル％以上、より好ましくは３０モル％以上、更に好ましくは３５モル％以上であり、好ましくは７０モル％以下、より好ましくは６０モル％以下、更に好ましくは４５モル％以下である。
【００３８】
アクリルポリマは、上述したモノマの１種又は２種以上をモノマ単位として含んでいてよい。アクリルポリマが２種以上のモノマをモノマ単位として含む場合、各モノマ単位の結合順序について特に制限はなく、アクリルポリマは、ブロック共重合体及びランダム共重合体のいずれであってもよく、好ましくはランダム共重合体である。
【００３９】
アクリルポリマは、好ましくは、モノマ単位として、上記架橋剤と（メタ）アクリロニトリルとを含む。（メタ）アクリロニトリルの含有量に対する架橋剤の含有量のモル比は、集電体９，１２と電極合剤層１１，１３との間の密着性に更に優れる観点から、好ましくは０．００８モル％以上、より好ましくは０．０３モル％以上であり、好ましくは０．８モル％以下、より好ましくは０．３モル％以下である。
【００４０】
アクリルポリマは、好ましくは、水に分散されたアクリルポリマ粒子として用いられる。アクリルポリマ粒子の粒径は、集電体９，１２と電極合剤層１１，１３との間の密着性に更に優れ、電池特性にも優れる観点から、好ましくは５００ｎｍ以下、より好ましくは４００ｎｍ以下である。アクリルポリマ粒子の粒径の下限値は、特に制限されないが、実用的な観点から、好ましくは１００ｎｍ以上、より好ましくは２００ｎｍ以上である。アクリルポリマ粒子の粒径は、動的光散乱法により測定された平均粒径を意味する。
【００４１】
スチレン−ブタジエンコポリマは、スチレン及びブタジエンをモノマ単位として含むコポリマである。スチレン−ブタジエンコポリマは、スチレン及びブタジエン以外のその他のモノマをモノマ単位として更に含んでいてよい。その他のモノマは、例えば、アクリロニトリル等であってよい。スチレンの含有率は、スチレン−ブタジエンコポリマのモノマ全量を基準（１００モル％）として、例えば、２０モル％以上、４０モル％以上、又は６０モル％以上であってよい。ブタジエンの含有率は、スチレン−ブタジエンコポリマのモノマ全量を基準（１００モル％）として、例えば、２０モル％以上、４０モル％以上、又は６０モル％以上であってよい。
【００４２】
バインダポリマの含有量は、導電層全量を基準として、電極合剤層の集電体からの剥離を更に抑制できる観点から、５質量％以上、７質量％以上、又は１０質量％以上であってよく、好適な導電性を有する導電層が得られる観点から、４０質量％以下、３０質量％以下、又は２０質量％以下であってよい。
【００４３】
導電性フィラとしては、導電性炭素材料が使用できる。導電性炭素材料は、好ましくは、アセチレンブラック、ケッチェンブラック等のカーボンブラック、黒鉛、炭素繊維、又はこれらの混合物である。
【００４４】
導電性フィラの含有量は、導電層全量を基準として、好適な導電性を有する導電層が得られる観点から、好ましくは、５０質量％以上、６０質量％以上、又は７０質量％以上であり、導電層１０内の導電性フィラの分散性に優れる観点から、好ましくは、９０質量％以下、８５質量％以下、又は８０質量％以下である。
【００４５】
導電層１０は、導電性フィラの分散性の観点から、水溶性高分子化合物（水溶性ポリマ）を更に含有していてもよい。水溶性高分子化合物は、例えば、カルボキシメチルセルロース、カルボキシメチルセルロースナトリウム等のカルボキシメチルセルロース誘導体、ポリビニルアルコール、ポリビニルピロリドン、水溶性アルギン酸誘導体、ゼラチン、カラギーナン、グルコマンナン、ペクチン、カードラン、ジェランガム、ポリアクリル酸誘導体などであってよい。
【００４６】
水溶性高分子化合物の含有量は、導電層全量を基準として、好ましくは、１質量％以上、７質量％以上、又は１０質量％以上であり、好ましくは、４０質量％以下、３０質量％以下、又は２０質量％以下である。水溶性高分子化合物の含有量が１質量％以上である場合、導電性フィラを良好に分散でき、導電層１０内での電子移動経路が良好に確保されるため、電池特性の低下を抑制できる。水溶性高分子化合物の含有量が４０質量％以下である場合、得られる分散液の粘度上昇を抑制でき、集電体９，１２への塗工性が良好となる。
【００４７】
導電層１０の厚さは、電極合剤層の集電体からの剥離を更に抑制できる観点から、１μｍ以上、２μｍ以上、又は３μｍ以上であってよく、好適な導電性を有する導電層が得られる観点から、２０μｍ以下、１５μｍ以下、又は１０μｍ以下であってよい。
【００４８】
正極合剤層１１は、一実施形態において、正極活物質及びイオン液体を含有する。正極活物質は、リチウム遷移金属酸化物、リチウム遷移金属リン酸塩等のリチウム遷移金属化合物であってよい。
【００４９】
リチウム遷移金属酸化物は、例えば、マンガン酸リチウム、ニッケル酸リチウム、コバルト酸リチウム等であってよい。リチウム遷移金属酸化物は、マンガン酸リチウム、ニッケル酸リチウム、コバルト酸リチウム等に含有されるＭｎ、Ｎｉ、Ｃｏ等の遷移金属の一部を、１種若しくは２種以上の他の遷移金属、又はＭｇ、Ａｌ等の金属元素（典型元素）で置換したリチウム遷移金属酸化物であってもよい。すなわち、リチウム遷移金属酸化物は、ＬｉＭ１Ｏ２又はＬｉＭ１Ｏ４（Ｍ１は少なくとも１種の遷移金属を含む）で表される化合物であってよい。リチウム遷移金属酸化物は、具体的には、Ｌｉ（Ｃｏ１／３Ｎｉ１／３Ｍｎ１／３）Ｏ２、ＬｉＮｉ１／２Ｍｎ１／２Ｏ２、ＬｉＮｉ１／２Ｍｎ３／２Ｏ４等であってよい。
【００５０】
リチウム遷移金属酸化物は、エネルギ密度を更に向上させる観点から、好ましくは下記式（３）で表される化合物である。
ＬｉａＮｉｂＣｏｃＭ２ｄＯ２＋ｅ      （３）
［式（３）中、Ｍ２は、Ａｌ、Ｍｎ、Ｍｇ及びＣａからなる群より選ばれる少なくとも１種であり、ａ、ｂ、ｃ、ｄ及びｅは、それぞれ０．２≦ａ≦１．２、０．５≦ｂ≦０．９、０．１≦ｃ≦０．４、０≦ｄ≦０．２、−０．２≦ｅ≦０．２、かつｂ＋ｃ＋ｄ＝１を満たす数である。］
【００５１】
リチウム遷移金属リン酸塩は、ＬｉＦｅＰＯ４、ＬｉＭｎＰＯ４、ＬｉＭｎｘＭ３１−ｘＰＯ４（０．３≦ｘ≦１、Ｍ３はＦｅ、Ｎｉ、Ｃｏ、Ｔｉ、Ｃｕ、Ｚｎ、Ｍｇ及びＺｒからなる群より選ばれる少なくとも１種の元素である）等であってよい。
【００５２】
正極活物質は、造粒されていない一次粒子であってもよく、造粒された二次粒子であってもよい。
【００５３】
正極活物質の粒径は、正極合剤層１１の厚さ以下になるように調整される。正極活物質中に正極合剤層１１の厚さ以上の粒径を有する粗粒子がある場合、ふるい分級、風流分級等により粗粒子を予め除去し、正極合剤層１１の厚さ以下の粒径を有する正極活物質を選別する。
【００５４】
正極活物質の平均粒径は、０．１μｍ以上、より好ましくは１μｍ以上である。正極活物質の平均粒径は、好ましくは３０μｍ以下であり、より好ましくは２５μｍ以下である。正極活物質の平均粒径は、正極活物質全体の体積に対する比率（体積分率）が５０％のときの粒径（Ｄ５０）である。正極活物質の平均粒径（Ｄ５０）は、レーザー散乱型粒径測定装置（例えば、マイクロトラック）を用いて、レーザー散乱法により水中に正極活物質を懸濁させた懸濁液を測定することで得られる。
【００５５】
正極活物質の含有量は、正極合剤層全量を基準として、７０質量％以上、８０質量％以上、又は９０質量％以上であってよい。正極活物質の含有量は、正極合剤層全量を基準として、９９質量％以下であってよい。
【００５６】
イオン液体は、以下のアニオン成分及びカチオン成分を含有する。なお、本実施形態におけるイオン液体は、−２０℃以上で液状の物質である。
【００５７】
イオン液体のアニオン成分は、特に限定されないが、Ｃｌ−、Ｂｒ−、Ｉ−等のハロゲンのアニオン、ＢＦ４−、Ｎ（ＳＯ２Ｆ）２−等の無機アニオン、Ｂ（Ｃ６Ｈ５）４−、ＣＨ３ＳＯ２Ｏ−、ＣＦ３ＳＯ２Ｏ−、Ｎ（ＳＯ２Ｃ４Ｆ９）２−、Ｎ（ＳＯ２ＣＦ３）２−、Ｎ（ＳＯ２Ｃ２Ｆ５）２−等の有機アニオンなどであってよい。イオン液体のアニオン成分は、好ましくは、下記式（Ｉ）で表されるアニオン成分の少なくとも１種を含有する。
Ｎ（ＳＯ２ＣｍＦ２ｍ＋１）（ＳＯ２ＣｎＦ２ｎ＋１）−        （Ｉ）
ｍ及びｎは、それぞれ独立に０〜５の整数を表す。ｍ及びｎは、互いに同一でも異なっていてもよく、好ましくは互いに同一である。
【００５８】
式（Ｉ）で表されるアニオン成分は、例えば、Ｎ（ＳＯ２Ｃ４Ｆ９）２−、Ｎ（ＳＯ２Ｆ）２−、Ｎ（ＳＯ２ＣＦ３）２−及びＮ（ＳＯ２Ｃ２Ｆ５）２−である。イオン液体のアニオン成分は、比較的低粘度でイオン伝導度を更に向上させるとともに、充放電特性も更に向上させる観点から、より好ましくは、Ｎ（ＳＯ２Ｃ４Ｆ９）２−、ＣＦ３ＳＯ２Ｏ−、Ｎ（ＳＯ２Ｆ）２−、Ｎ（ＳＯ２ＣＦ３）２−、及びＮ（ＳＯ２Ｃ２Ｆ５）２−からなる群より選ばれる少なくとも１種を含有し、更に好ましくはＮ（ＳＯ２Ｆ）２−を含有する。
【００５９】
なお、以下では下記の略称を用いる場合がある。
［ＦＳＩ］−：Ｎ（ＳＯ２Ｆ）２−、ビス（フルオロスルホニル）イミドアニオン
［ＴＦＳＩ］−：Ｎ（ＳＯ２ＣＦ３）２−、ビス（トリフルオロメタンスルホニル）イミドアニオン
［ＢＯＢ］−：Ｂ（Ｏ２Ｃ２Ｏ２）２−、ビスオキサレートボラートアニオン
［ｆ３Ｃ］−：Ｃ（ＳＯ２Ｆ）３−、トリス（フルオロスルホニル）カルボアニオン
【００６０】
イオン液体のカチオン成分は、好ましくは、鎖状四級オニウムカチオン、ピペリジニウムカチオン、ピロリジニウムカチオン、ピリジニウムカチオン及びイミダゾリウムカチオンからなる群より選ばれる少なくとも１種である。
【００６１】
鎖状四級オニウムカチオンは、例えば、下記式（ＩＩ）で表される化合物である。
【化３】
2019169444.tif 000005
式（３）中、Ｒ１１〜Ｒ１４は、それぞれ独立に、炭素数が１〜２０の鎖状アルキル基、又はＲ−Ｏ−（ＣＨ２）ｎ−で表される鎖状アルコキシアルキル基（Ｒはメチル基又はエチル基を表し、ｎは１〜４の整数を表す）を表し、Ｘは、窒素原子又はリン原子を表す。Ｒ１１〜Ｒ１４で表されるアルキル基の炭素数は、好ましくは１〜２０、より好ましくは１〜１０、更に好ましくは１〜５である。
【００６２】
ピペリジニウムカチオンは、例えば、下記式（ＩＩＩ）で表される、窒素を含有する六員環環状化合物である。
【化４】
2019169444.tif 000006
式（ＩＩＩ）中、Ｒ１５及びＲ１６は、それぞれ独立に、炭素数が１〜２０のアルキル基、又はＲ−Ｏ−（ＣＨ２）ｎ−で表されるアルコキシアルキル基（Ｒはメチル基又はエチル基を表し、ｎは１〜４の整数を表す）を表す。Ｒ１５及びＲ１６で表されるアルキル基の炭素数は、好ましくは１〜２０、より好ましくは１〜１０、更に好ましくは１〜５である。
【００６３】
ピロリジニウムカチオンは、例えば、下記式（ＩＶ）で表される五員環環状化合物である。
【化５】
2019169444.tif 000007
式（ＩＶ）中、Ｒ１７及びＲ１８は、それぞれ独立に、炭素数が１〜２０のアルキル基、又はＲ−Ｏ−（ＣＨ２）ｎ−で表されるアルコキシアルキル基（Ｒはメチル基又はエチル基を表し、ｎは１〜４の整数を表す）を表す。Ｒ１７及びＲ１８で表されるアルキル基の炭素数は、好ましくは１〜２０、より好ましくは１〜１０、更に好ましくは１〜５である。
【００６４】
ピリジニウムカチオンは、例えば、下記式（Ｖ）で示される化合物である。
【化６】
2019169444.tif 000008
式（Ｖ）中、Ｒ１９〜Ｒ２３は、それぞれ独立に、炭素数が１〜２０のアルキル基、Ｒ−Ｏ−（ＣＨ２）ｎ−で表されるアルコキシアルキル基（Ｒはメチル基又はエチル基を表し、ｎは１〜４の整数を表す）、又は水素原子を表す。Ｒ１９〜Ｒ２３で表されるアルキル基の炭素数は、好ましくは１〜２０、より好ましくは１〜１０、更に好ましくは１〜５である。
【００６５】
イミダゾリウムカチオンは、例えば、下記式（ＶＩ）で示される化合物である。
【化７】
2019169444.tif 000009
式（ＶＩ）中、Ｒ２４〜Ｒ２８は、それぞれ独立に、炭素数が１〜２０のアルキル基、Ｒ−Ｏ−（ＣＨ２）ｎ−で表されるアルコキシアルキル基（Ｒはメチル基又はエチル基を表し、ｎは１〜４の整数を表す）、又は水素原子を表す。Ｒ２４〜Ｒ２８で表されるアルキル基の炭素数は、好ましくは１〜２０、より好ましくは１〜１０、更に好ましくは１〜５である。
【００６６】
イオン液体の含有量は、正極合剤層全量を基準として、好ましくは３質量％以上、より好ましくは５質量％以上、更に好ましくは１０質量％以上である。イオン液体の含有量は、正極合剤層全量を基準として、好ましくは３０質量％以下、より好ましくは２５質量％以下、更に好ましくは２０質量％以下である。
【００６７】
正極合剤層１１は、導電材、結着剤等を更に含有してもよい。
【００６８】
導電材は、特に限定されないが、黒鉛、アセチレンブラック、カーボンブラック、炭素繊維、カーボンナノチューブ等の炭素材料などであってよい。導電材は、上述した炭素材料の２種以上の混合物であってもよい。導電材の含有量は、正極合剤層全量を基準として、０．１質量％以上、１質量％以上、又は３質量％以上であってよく、１５質量％以下、１０質量％以下、又は８質量％以下であってよい。
【００６９】
結着剤は、特に限定されないが、四フッ化エチレン、フッ化ビニリデン、ヘキサフルオロプロピレン、アクリル酸、マレイン酸、エチルメタクリレート、及びメチルメタクリレートからなる群より選ばれる少なくとも１種をモノマ単位として含有するポリマ、スチレン−ブタジエンゴム、イソプレンゴム、アクリルゴム等のゴムなどであってよい。結着剤は、好ましくは四フッ化エチレンとフッ化ビニリデンとを構造単位として含有するコポリマ、フッ化ビニリデンとヘキサフルオロプロピレンとを構造単位として含有するコポリマである。
【００７０】
結着剤の含有量は、正極合剤層全量を基準として、０．５質量％以上、１質量％以上、又は３質量％以上であってよい。結着剤の含有量は、正極合剤層全量を基準として、２０質量％以下、１５質量％以下、又は１０質量％以下であってよい。
【００７１】
イオン液体には、電解質塩が溶解されていてもよい。電解質塩は、リチウム塩、ナトリウム塩、カルシウム塩及びマグネシウム塩からなる群より選ばれる少なくとも１種であってよい。
【００７２】
電解質塩のアニオン成分は、ハロゲン化物イオン（Ｉ−、Ｃｌ−、Ｂｒ−等）、ＳＣＮ−、ＢＦ４−、ＢＦ３（ＣＦ３）−、ＢＦ３（Ｃ２Ｆ５）−、ＰＦ６−、ＣｌＯ４−、ＳｂＦ６−、Ｎ（ＳＯ２Ｆ）２−、Ｎ（ＳＯ２ＣＦ３）２−、Ｎ（ＳＯ２Ｃ２Ｆ５）２−、Ｂ（Ｃ６Ｈ５）４−、Ｂ（Ｏ２Ｃ２Ｈ４）２−、Ｃ（ＳＯ２Ｆ）３−、Ｃ（ＳＯ２ＣＦ３）３−、ＣＦ３ＣＯＯ−、ＣＦ３ＳＯ２Ｏ−、Ｃ６Ｆ５ＳＯ２Ｏ−、Ｂ（Ｏ２Ｃ２Ｏ２）２−等であってよい。電解質塩のアニオン成分は、好ましくは、Ｎ（ＳＯ２Ｆ）２−、Ｎ（ＳＯ２ＣＦ３）２−等の上述した式（Ｉ）で表されるアニオン成分、ＰＦ６−、ＢＦ４−、Ｂ（Ｏ２Ｃ２Ｏ２）２−、又はＣｌＯ４−である。
【００７３】
リチウム塩は、ＬｉＰＦ６、ＬｉＢＦ４、Ｌｉ［ＦＳＩ］、Ｌｉ［ＴＦＳＩ］、Ｌｉ［ｆ３Ｃ］、Ｌｉ［ＢＯＢ］、ＬｉＣｌＯ４、ＬｉＢＦ３（ＣＦ３）、ＬｉＢＦ３（Ｃ２Ｆ５）、ＬｉＢＦ３（Ｃ３Ｆ７）、ＬｉＢＦ３（Ｃ４Ｆ９）、ＬｉＣ（ＳＯ２ＣＦ３）３、ＬｉＣＦ３ＳＯ２Ｏ、ＬｉＣＦ３ＣＯＯ、及びＬｉＲＣＯＯ（Ｒは、炭素数１〜４のアルキル基、フェニル基、又はナフチル基である。）からなる群より選ばれる少なくとも１種であってよい。
【００７４】
ナトリウム塩は、ＮａＰＦ６、ＮａＢＦ４、Ｎａ［ＦＳＩ］、Ｎａ［ＴＦＳＩ］、Ｎａ［ｆ３Ｃ］、Ｎａ［ＢＯＢ］、ＮａＣｌＯ４、ＮａＢＦ３（ＣＦ３）、ＮａＢＦ３（Ｃ２Ｆ５）、ＮａＢＦ３（Ｃ３Ｆ７）、ＮａＢＦ３（Ｃ４Ｆ９）、ＮａＣ（ＳＯ２ＣＦ３）３、ＮａＣＦ３ＳＯ２Ｏ、ＮａＣＦ３ＣＯＯ、及びＮａＲＣＯＯ（Ｒは、炭素数１〜４のアルキル基、フェニル基、又はナフチル基である。）からなる群より選ばれる少なくとも１種であってよい。
【００７５】
カルシウム塩は、Ｃａ（ＰＦ６）２、Ｃａ（ＢＦ４）２、Ｃａ［ＦＳＩ］２、Ｃａ［ＴＦＳＩ］２、Ｃａ［ｆ３Ｃ］２、Ｃａ［ＢＯＢ］２、Ｃａ（ＣｌＯ４）２、Ｃａ［ＢＦ３（ＣＦ３）］２、Ｃａ［ＢＦ３（Ｃ２Ｆ５）］２、Ｃａ［ＢＦ３（Ｃ３Ｆ７）］２、Ｃａ［ＢＦ３（Ｃ４Ｆ９）］２、Ｃａ［Ｃ（ＳＯ２ＣＦ３）３］２、Ｃａ（ＣＦ３ＳＯ２Ｏ）２、Ｃａ（ＣＦ３ＣＯＯ）２、及びＣａ（ＲＣＯＯ）２（Ｒは、炭素数１〜４のアルキル基、フェニル基、又はナフチル基である。）からなる群より選ばれる少なくとも１種であってよい。
【００７６】
マグネシウム塩は、Ｍｇ（ＰＦ６）２、Ｍｇ（ＢＦ４）２、Ｍｇ［ＦＳＩ］２、Ｍｇ［ＴＦＳＩ］２、Ｍｇ［ｆ３Ｃ］２、Ｍｇ［ＢＯＢ］２、Ｎａ（ＣｌＯ４）２、Ｍｇ［ＢＦ３（ＣＦ３）］２、Ｍｇ［ＢＦ３（Ｃ２Ｆ５）］２、Ｍｇ［ＢＦ３（Ｃ３Ｆ７）］２、Ｍｇ［ＢＦ３（Ｃ４Ｆ９）］２、Ｍｇ［Ｃ（ＳＯ２ＣＦ３）３］２、Ｍｇ（ＣＦ３ＳＯ３）２、Ｍｇ（ＣＦ３ＣＯＯ）２、及びＭｇ（ＲＣＯＯ）２（Ｒは、炭素数１〜４のアルキル基、フェニル基、又はナフチル基である。）からなる群より選ばれる少なくとも１種であってよい。
【００７７】
これらのうち、解離性及び電気化学的安定性の観点から、電解質塩は、好ましくはＬｉＰＦ６、ＬｉＢＦ４、Ｌｉ［ＦＳＩ］、Ｌｉ［ＴＦＳＩ］、Ｌｉ［ｆ３Ｃ］、Ｌｉ［ＢＯＢ］、ＬｉＣｌＯ4、ＬｉＢＦ３（ＣＦ３）、ＬｉＢＦ３（Ｃ２Ｆ５）、ＬｉＢＦ３（Ｃ３Ｆ７）、ＬｉＢＦ３（Ｃ４Ｆ９）、ＬｉＣ（ＳＯ２ＣＦ３）３、ＬｉＣＦ３ＳＯ２Ｏ、ＬｉＣＦ３ＣＯＯ、及びＬｉＲＣＯＯ（Ｒは、炭素数１〜４のアルキル基、フェニル基、又はナフチル基である。）からなる群より選ばれる少なくとも１種であり、より好ましくはＬｉ［ＴＦＳＩ］、Ｌｉ［ＦＳＩ］、ＬｉＰＦ６、ＬｉＢＦ４、Ｌｉ［ＢＯＢ］、及びＬｉＣｌＯ4からなる群より選ばれる少なくとも１種であり、更に好ましくはＬｉ［ＴＦＳＩ］、及びＬｉ［ＦＳＩ］からなる群より選ばれる１種である。
【００７８】
正極合剤層１１の厚さは、１０μｍ以上、１５μｍ以上、又は２０μｍ以上であってよい。正極合剤層１１の厚さは、１００μｍ以下、８０μｍ以下、又は７０μｍ以下であってよい。正極合剤層の厚さを１００μｍ以下とすることにより、正極合剤層１１の表面近傍及び正極集電体９の表面近傍の正極活物質の充電レベルのばらつきに起因する充放電の偏りを抑制できる。
【００７９】
負極集電体１２は、アルミニウム、銅、ニッケル、ステンレス等の金属、それらの合金などであってよい。負極集電体１２は、軽量で高い重量エネルギ密度を有するため、好ましくはアルミニウム及びその合金である。負極集電体１２は、薄膜への加工のしやすさ及びコストの観点から、好ましくは銅である。
【００８０】
負極集電体１２の厚さは、１０μｍ以上であってよく、１００μｍ以下であってよい。負極集電体１２の厚さは、負極全体の体積を小さくする観点から、好ましくは１０μｍ以上５０μｍ以下であり、電池を形成する際に小さな曲率で負極を捲回する観点から、より好ましくは１０μｍ以上２０μｍ以下である。
【００８１】
負極合剤層１３は、一実施形態において、負極活物質とイオン液体とを含有する。
【００８２】
負極活物質は、エネルギデバイスの分野で常用されるものを使用できる。負極活物質としては、具体的には、例えば、金属リチウム、チタン酸リチウム（Ｌｉ４Ｔｉ５Ｏ１２）、リチウム合金又はその他の金属化合物、炭素材料、金属錯体、及び有機高分子化合物が挙げられる。負極活物質は、これらの１種単独、又は２種以上の混合物であってよい。炭素材料としては、天然黒鉛（鱗片状黒鉛等）、人造黒鉛等の黒鉛（グラファイト）、非晶質炭素、炭素繊維、及びアセチレンブラック、ケッチェンブラック、チャンネルブラック、ファーネスブラック、ランプブラック、サーマルブラック等のカーボンブラックなどが挙げられる。負極活物質は、より大きな理論容量（例えば５００〜１５００Ａｈ／ｋｇ）を得る観点から、シリコン、スズ又はこれらの元素を含む化合物（酸化物、窒化物、他の金属との合金）であってもよい。
【００８３】
負極活物質の平均粒径（Ｄ５０）は、粒径減少に伴う不可逆容量の増加を抑制しつつ、かつ、電解質塩の保持能力を高めたバランスの良い負極を得る観点から、好ましくは１μｍ以上であり、より好ましくは５μｍ以上であり、更に好ましくは１０μｍ以上であり、また、好ましくは５０μｍ以下であり、より好ましくは４０μｍ以下であり、更に好ましくは３０μｍ以下である。負極活物質の平均粒径（Ｄ５０）は、上述した正極活物質の平均粒径（Ｄ５０）と同様の方法により測定される。
【００８４】
負極活物質の含有量は、負極合剤層全量を基準として、６０質量％以上、６５質量％以上、又は７０質量％以上であってよい。負極活物質の含有量は、負極合剤層全量を基準として、９９質量％以下、９５質量％以下、又は９０質量％以下であってよい。
【００８５】
イオン液体は、正極合剤層１１に含まれるイオン液体として説明した上記のイオン液体であってよい。イオン液体の含有量は、負極合剤層全量を基準として、好ましくは３質量％以上、より好ましくは５質量％以上、更に好ましくは１０質量％以上である。イオン液体の含有量は、負極合剤層全量を基準として、好ましくは３０質量％以下、より好ましくは２５質量％以下、更に好ましくは２０質量％以下である。イオン液体には、上述した正極合剤層１１に使用できる電解質塩と同様の電解質塩が溶解されていてもよい。
【００８６】
負極合剤層１３は、上述した正極合剤層１１に使用できる導電材、結着剤等を更に含有してもよい。負極合剤層１３に含まれる導電材、結着剤の含有量は、それぞれ上述した正極合剤層１１における導電材又は結着剤の含有量と同様であってよい。
【００８７】
負極合剤層１３の厚さは、１０μｍ以上、１５μｍ以上、又は２０μｍ以上であってよい。負極合剤層１３の厚さは、１００μｍ以下、８０μｍ以下、又は７０μｍ以下であってよい。
【００８８】
電解質層７は、一実施形態において、ポリマと、酸化物粒子と、電解質塩と、イオン液体と、を含有する。
【００８９】
ポリマは、好ましくは、四フッ化エチレン及びフッ化ビニリデンからなる群より選ばれる第１の構造単位を有する。
【００９０】
ポリマは、好ましくは、１種又は２種以上のポリマであり、前記１種又は２種以上のポリマを構成する構造単位の中には、前記第１の構造単位と、ヘキサフルオロプロピレン、アクリル酸、マレイン酸、エチルメタクリレート、及びメチルメタクリレートからなる群より選ばれる第２の構造単位とが含まれていてもよい。すなわち、第１の構造単位及び第２の構造単位は、１種のポリマに含まれてコポリマを構成していてもよく、それぞれ別のポリマに含まれて、第１の構造単位を有する第１のポリマと、第２の構造単位を有する第２のポリマとの少なくとも２種のポリマを構成していてもよい。
【００９１】
ポリマは、具体的には、ポリ四フッ化エチレン、ポリフッ化ビニリデン、フッ化ビニリデンとヘキサフルオロプロピレンとのコポリマなどであってよい。
【００９２】
ポリマの含有量は、電解質層全量を基準として、好ましくは３質量％以上である。ポリマの含有量は、電解質層全量を基準として、好ましくは５０質量％以下であり、より好ましくは４０質量％以下である。ポリマの含有量は、電解質層全量を基準として、好ましくは３〜５０質量％、又は３〜４０質量％である。
【００９３】
本実施形態に係るポリマは、電解質組成物に含まれるイオン液体との親和性に優れるため、イオン液体中の電解質塩を保持する。これにより、電解質組成物に荷重が加えられた際のイオン液体の液漏れが抑制される。
【００９４】
酸化物粒子は、例えば無機酸化物の粒子である。無機酸化物は、例えば、Ｌｉ、Ｍｇ、Ａｌ、Ｓｉ、Ｃａ、Ｔｉ、Ｚｒ、Ｌａ、Ｎａ、Ｋ、Ｂａ、Ｓｒ、Ｖ、Ｎｂ、Ｂ、Ｇｅ等を構成元素として含む無機酸化物であってよい。酸化物粒子は、好ましくは、ＳｉＯ２、Ａｌ２Ｏ３、ＡｌＯＯＨ、ＭｇＯ、ＣａＯ、ＺｒＯ２、ＴｉＯ２、Ｌｉ７Ｌａ３Ｚｒ２Ｏ１２、及びＢａＴｉＯ３からなる群より選ばれる少なくとも１種の粒子である。酸化物粒子は極性を有するため、電解質層７中の電解質の解離を促進し、電池特性を高めることができる。
【００９５】
酸化物粒子は、希土類金属の酸化物であってもよい。酸化物粒子は、具体的には、酸化スカンジウム、酸化イットリウム、酸化ランタン、酸化セリウム、酸化プラセオジム、酸化ネオジム、酸化サマリウム、酸化ユウロビウム、酸化ガドリニウム、酸化テルビウム、酸化ジスプロシウム、酸化ホルミウム、酸化エルビウム、酸化ツリウム、酸化イッテルビウム、酸化ルテチウム等であってよい。
【００９６】
酸化物粒子の比表面積は、二次電池の放電特性に優れる観点から、好ましくは、５ｍ２／ｇ以上、１０ｍ２／ｇ以上、又は１５ｍ２／ｇ以上であり、好ましくは、１００ｍ２／ｇ以下、８０ｍ２／ｇ以下、又は６０ｍ２／ｇ以下である。酸化物粒子の比表面積は、一次粒子及び二次粒子を含む酸化物粒子全体の比表面積を意味し、ＢＥＴ法によって測定される。
【００９７】
酸化物粒子の平均粒径は、好ましくは０．００５μｍ以上であり、より好ましくは０．０１μｍ以上であり、更に好ましくは０．０３μｍ以上である。酸化物粒子の平均粒径は、好ましくは５μｍ以下であり、より好ましくは３μｍ以下であり、更に好ましくは１μｍ以下である。酸化物粒子の平均粒径は、レーザー回折法により測定され、体積累積粒度分布曲線を小粒径側から描いた場合に、体積累積が５０％となる粒子径に対応する。
【００９８】
酸化物粒子の含有量は、電解質層全量を基準として、好ましくは５質量％以上、より好ましくは１０質量％以上、更に好ましくは１５質量％以上、特に好ましくは２０質量％以上であり、また、好ましくは６０質量％以下、より好ましくは５０質量％以下、更に好ましくは４０質量％以下である。
【００９９】
電解質塩は、リチウム塩、ナトリウム塩、カルシウム塩及びマグネシウム塩からなる群より選ばれる少なくとも１種であってよい。電解質塩は、正極合剤層１１及び負極合剤層１３に使用できる電解質塩と同様であってよい。
【０１００】
イオン液体は、正極合剤層１１に含まれるイオン液体として説明した上記のイオン液体であってよい。イオン液体には、電解質塩が溶解されていてよい。イオン液体の単位体積あたりの電解質塩の濃度は、充放電特性を更に向上させる観点から、好ましくは０．５ｍｏｌ／Ｌ以上、より好ましくは０．７ｍｏｌ／Ｌ以上、更に好ましくは０．８ｍｏｌ／Ｌ以上であり、また、好ましくは２．０ｍｏｌ／Ｌ以下、より好ましくは１．８ｍｏｌ／Ｌ以下、更に好ましくは１．５ｍｏｌ／Ｌ以下である。
【０１０１】
イオン液体の含有量は、電解質層７を好適に作製する観点から、電解質層全量を基準として、１０質量％以上であってよく、８０質量％以下であってよい。電解質塩と第３のイオン液体との合計の含有量は、導電率を更に向上させ、二次電池の容量低下を抑制する観点から、電解質層全量を基準として、好ましくは１０質量％以上であり、より好ましくは２５質量％以上であり、更に好ましくは４０質量％以上である。電解質塩と第３のイオン液体との合計の含有量は、電解質層の強度低下を抑制する観点から、電解質層全量を基準として、好ましくは８０質量％以下である。
【０１０２】
電解質層７の厚さは、強度を高め安全性を向上させる観点から、好ましくは５μｍ以上であり、より好ましくは１０μｍ以上である。電解質層７の厚さは、二次電池の内部抵抗を更に低減させる観点及び大電流特性を更に向上させる観点から、好ましくは２００μｍ以下、より好ましくは１５０μｍ以下、更に好ましくは１００μｍ以下である。
【０１０３】
電極群２は、他の実施形態をとり得る。図４及び図５は、それぞれ、二次電池１における電極群２の他の一実施形態を示す模式断面図である。上記実施形態では、正極６及び負極８の両方が導電層１０を備えているが、他の一実施形態では、正極６及び負極８のいずれか一方のみが導電層を備えていてもよい。
【０１０４】
具体的には、図４（ａ）に示すように、他の一実施形態に係る電極群２Ｂでは、正極６は、正極集電体９と、正極集電体９の一方の面上に設けられた導電層１０と、導電層１０の正極集電体９と反対側の面上に設けられた正極合剤層１１とを備えており、負極２８は、負極集電体１２と、負極集電体１２上に設けられた負極合剤層１３とを備えている（導電層を備えていない）。また、図４（ｂ）に示すように、他の一実施形態に係る電極群２Ｃでは、負極８は、負極集電体１２と、負極集電体１２の一方の面上に設けられた導電層１０と、導電層１０の負極集電体１２と反対側の面上に設けられた負極合剤層１３とを備えており、正極２６は、正極集電体９と、正極集電体９上に設けられた正極合剤層１１とを備えている（導電層を備えていない）。
【０１０５】
他の一実施形態では、図５に示すように、電極群２Ｄは、正極６と、第１の電解質層７と、バイポーラ電極１６と、第２の電解質層７と、負極８とをこの順に備えている。この実施形態では、上記実施形態と同様に、正極６は、正極集電体９と、正極集電体９の一方の面上に設けられた導電層１０と、導電層１０の正極集電体９と反対側の面上に設けられた正極合剤層１１とを備えており、負極８は、負極集電体１２と、負極集電体１２の一方の面上に設けられた導電層１０と、導電層１０の負極集電体１２と反対側の面上に設けられた負極合剤層１３とを備えている。
【０１０６】
バイポーラ電極１６は、バイポーラ電極集電体１５と、バイポーラ電極集電体１５の両面上にそれぞれ設けられた導電層１０，１０と、バイポーラ電極集電体１５の負極８側の導電層１０の面（正極面）上に設けられた正極合剤層１１と、バイポーラ電極集電体１５の正極６側の導電層１０の面（負極面）上に設けられた負極合剤層１３とを備えている。
【０１０７】
バイポーラ電極集電体１５において、正極面は、好ましくは耐酸化性に優れた材料で形成されていてよく、アルミニウム、ステンレス鋼、チタン等で形成されていてよい。負極活物質として黒鉛又は合金を用いたバイポーラ電極集電体１５における負極面は、リチウムと合金を形成しない材料で形成されていてよく、具体的には、ステンレス鋼、ニッケル、鉄、チタン等で形成されていてよい。正極面と負極面に異種の金属を用いる場合、バイポーラ電極集電体１５は、異種金属箔を積層させたクラッド材であってよい。ただし、チタン酸リチウムのように、リチウムと合金を形成しない電位で動作する負極８を用いる場合、上述の制限はなくなり、負極面は、正極集電体９と同様の材料であってよい。その場合、バイポーラ電極集電体１５は、単一の金属箔であってよい。単一の金属箔としてのバイポーラ電極集電体１５は、孔径０．１〜１０ｍｍの孔を有するアルミニウム製穿孔箔、エキスパンドメタル、発泡金属板等であってよい。
【０１０８】
バイポーラ電極集電体１５の厚さは、１０μｍ以上であってよく、１００μｍ以下であってよい。バイポーラ電極集電体１５の厚さは、バイポーラ電極全体の体積を小さくする観点から、好ましくは１０μｍ以上５０μｍ以下であり、電池を形成する際に小さな曲率でバイポーラ電極を捲回する観点から、より好ましくは１０μｍ以上２０μｍ以下である。
【０１０９】
続いて、上述した二次電池１の製造方法について説明する。図６は、一実施形態に係る二次電池１（図３に示した電極群２Ａ）の製造方法を示す模式断面図である。二次電池１の製造方法は、電極を作製する電極作製工程と、少なくとも一方の電極上にプレス加工により電解質層を設ける（転写する）転写工程と、一方の電極と他方の電極とを電解質層を介して積層する電極積層工程とを備えている。
【０１１０】
電極作製工程では、電極群２を構成する一対の電極の少なくとも一方を以下のように作製する。一対の電極とは、電解質層７を挟んで向かい合う、互いに極性の異なる二つの電極を意味する。例えば、図３，４に示す電極群２Ａ，２Ｂ，２Ｃでは、正極６及び負極８が一対の電極を構成する。図５に示す電極群２Ｄでは、正極６及びバイポーラ電極１６（負極合剤層１３側）が一対の電極を構成し、また、負極８及びバイポーラ電極１６（正極合剤層１１側）も一対の電極を構成する。
【０１１１】
電極作製工程では、図６（ａ）に示すように、まず、集電体９，１２の一方の面上に導電層１０を設ける。導電層１０は、例えば、バインダポリマ、導電性フィラ及び必要に応じて添加される任意成分を分散媒に分散させた導電層形成用スラリを、集電体９，１２の一方の面上に塗布した後、分散媒を揮発させることにより得られる。分散媒は、例えば水であってよい。
【０１１２】
次いで、導電層１０の集電体９，１２と反対側の面上に、電極合剤層１１，１３を更に設けることにより、電極６，８が得られる。電極合剤層１１，１３は、例えば、電極活物質、イオン液体、電解質塩及びに必要に応じて添加される任意成分を分散媒に分散させたスラリ状の正極合剤を、導電層１０の面上に塗布した後、分散媒を揮発させることにより得られる。分散媒は、例えば、Ｎ−メチル−２−ピロリドン等の有機溶剤であってよい。電極合剤層１１，１３に含まれる電解質塩は、イオン液体に溶解させてから、他の材料とともに分散媒に分散させることができる。
【０１１３】
図４（ａ）に示す電極群２Ｂを作製する場合、電極作製工程における負極２８の作製では、負極集電体１２の一方面上に、上記と同様に方法により負極合剤層１３を設ければよい。図４（ｂ）に示す電極群２Ｃを作製する場合、電極作製工程における正極２６の作製では、正極集電体９の一方面上に、上記と同様に方法により正極合剤層１１を設ければよい。図５に示す電極群２Ｄを作製する場合、電極作製工程では、正極６及び負極８の作製に加えて、上記と同様に方法により、バイポーラ電極集電体１５の一方面上に、導電層１０及び正極合剤層１１を設け、バイポーラ電極集電体１５の一方面上に、導電層１０及び負極合剤層１３を設けることにより、バイポーラ電極１６を作製すればよい。
【０１１４】
転写工程では、図６（ｂ）に示すように、電極６，８の電極合剤層１１，１３側に、プレス加工により電解質層７ａを設ける。電解質層７ａは、上述した電解質層に用いる材料を分散媒に分散させたスラリ状の電解質組成物を基材上に塗布した後、分散媒を揮発させることによってシート状の電解質層として得られる。分散媒は、例えば、水、ＮＭＰ、トルエン等であってよい。
【０１１５】
プレス加工は、基材（図示せず）上に形成された電解質層７ａを電極合剤層１１，１３に接するように重ねた状態で行われる。プレス加工は、加熱した状態で実施されてもよい。プレス加工時の温度は、電極合剤層１１，１３と電解質層７ａとの間の密着性を向上させる観点から、６０℃以上、７０℃以上、又は８０℃以上であってよく、１２０℃以下、１１０℃以下、又は１００℃以下であってよい。このようなプレス加工としては、例えば、熱ロールプレス加工等が挙げられる。
【０１１６】
転写工程では、続いて、電解質層７ａから基材を剥がす。本実施形態では、集電体９，１２と電極合剤層１１，１３との間に導電層１０が設けられているため、電解質層７ａを基材から剥がす際に、電極合剤層１１，１３（及び電解質層７ａ）が集電体９，１２から剥離することを抑制できる。
【０１１７】
図４（ａ）に示す電極群２Ｂを作製する場合、転写工程では、正極６側にのみ電解質層を設けてもよい。図４（ｂ）に示す電極群２Ｃを作製する場合、転写工程では、負極８側にのみ電解質層を設けてもよい。図５に示す電極群２Ｄを作製する場合、転写工程では、正極６及び負極８に加えて、バイポーラ電極１６の両側に電解質層を設けてもよい。
【０１１８】
電極積層工程においては、図６（ｃ）に示すように、正極６上に設けられた電解質層７ａの正極６と反対側の面に、負極８上に設けられた電解質層７ａの負極８と反対側の面が接するように積層する。電極積層工程では、例えば、転写工程と同様にプレス加工により各層が積層される。これにより、正極６側に設けられている電解質層７ａと、負極８側に設けられている電解質層７ａとが互いに一体となり、図６（ｄ）に示すように、電極群２Ａが得られる。
【０１１９】
図４（ａ）に示す電極群２Ｂを作製する場合、電極積層工程では、正極６上に設けられた電解質層７の正極６と反対側の面上に、負極集電体１２及び負極合剤層１３からなる負極２８を積層すればよい。図４（ｂ）に示す電極群２Ｃを作製する場合、電極積層工程では、負極８上に設けられた電解質層７の負極８と反対側の面上に、正極集電体９及び正極合剤層１１からなる正極６を積層すればよい。図５に示す電極群２Ｄを作製する場合、バイポーラ電極１６の正極合剤層１１側に設けられた電解質層のバイポーラ電極１６と反対側の面に、負極８上に設けられた電解質層の負極８と反対側の面が接するように積層すると共に、バイポーラ電極１６の負極合剤層１３側に設けられた電解質層のバイポーラ電極１６と反対側の面に、正極６上に設けられた電解質層の正極６と反対側の面が接するように積層すればよい。
【実施例】
【０１２０】
以下、実施例に基づいて本発明を更に具体的に説明するが、本発明は以下の実施例に限定されない。
【０１２１】
［実施例１］
＜バインダポリマの合成例＞
攪拌機、温度計、冷却管及び送液ポンプを装着した０．５０リットルの４口フラスコ内に、水３３５．００ｇ、及び、乳化剤としてカルボキシメチルセルロース（ダイセルファインケム（株）製、商品名：ＣＭＣ＃２２００）の２．００％水溶液２１．４６ｇを加え、アスピレーターで２．６ｋＰａ（２０ｍｍＨｇ）に減圧後、窒素で常圧に戻す操作を３回繰り返し、溶存酸素を除去した。フラスコ内を窒素雰囲気に保ち、攪拌しながらウォーターバスで６０℃に加温した。過硫酸アンモニウム０．２６ｇを水８．００ｇに溶解してフラスコ内に更に加えた。過硫酸アンモニウムを加えた直後から、アクリロニトリル（和光純薬工業（株）製）１６．９８ｇ、ブチルメタクリレート（和光純薬工業（株）製）６８．２６ｇ（モノマの総量（１００モル％）中に６０モル％の割合）、エトキシ化ペンタエリスリトールテトラアクリレート（新中村化学工業（株）製、商品名：ＡＴＭ−４Ｅ）０．３４ｇの混合物を送液ポンプで２時間かけて滴下した。モノマを全量滴下した後、４時間攪拌を継続した。その後、１時間かけて９０℃に昇温し、９０℃で２時間攪拌することで、バインダポリマ（アクリルポリマ）の分散液を得た。
【０１２２】
＜導電層の作製＞
アセチレンブラック（導電性フィラ、平均粒径４８ｎｍ、デンカ（株）製、商品名：ＨＳ−１００）と、カルボキシメチルセルロースナトリウム（ＣＭＣ、ダイセルファインケム（株）製、商品名：ＣＭＣ＃２２００）と、上記合成例で得られたバインダポリマの分散液を、固形分の質量比（アセチレンブラック：ＣＭＣ：バインダポリマ）が７２：１４：１４になるように混合し、均一に分散させた。得られた混合物に水を加えて、導電層形成用スラリを作製した。このスラリを、正極集電体である厚さ２０μｍのアルミニウム箔又は負極集電体である厚さ１０μｍの銅箔の片面に、略均等かつ均質に塗布し、６０℃で乾燥させ、厚さ５μｍの導電層を得た。
【０１２３】
＜正極の作製＞
層状型リチウム・ニッケル・マンガン・コバルト複合酸化物（正極活物質）７０質量部、アセチレンブラック（導電材、平均粒径４８ｎｍ、比表面積３９ｍ２／ｇ、デンカ（株）製、商品名：ＨＳ−１００）６．３質量部、アセチレンブラック（導電材、平均粒径２３ｎｍ、比表面積１３３ｍ２／ｇ、デンカ（株）製）０．７質量部、フッ化ビニリデンとヘキサフルオロプロピレンとのコポリマ（結着剤）９質量部、リチウム塩を溶解させたイオン液体（１ｍｏｌ／Ｌ／リチウムビス（フルオロメタンスルホニル）イミド（ＬｉＦＳＩ）／Ｎ−メチル−Ｎ−プロピルピロリジニウムビス（フルオロスルホニル）イミド（Ｐｙ１３−ＦＳＩ））１４質量部を混合した。次に、分散媒であるＮＭＰを添加し、混練することによりスラリ状の正極合剤を調製した。この正極合剤を、上記で作製した正極集電体及び導電層の積層体上（導電層上）に塗工量１６０ｇ／ｍ２で塗工し、８０℃で加熱して分散媒を揮発させた。次いで、プレスにより合剤密度２．６０ｇ／ｃｍ３まで圧密化し、正極合剤層（厚さ５７μｍ）を形成した。得られた積層体を３．０ｃｍ×４．５ｃｍの角型に打ち抜き、正極とした。
【０１２４】
＜電解質層の作製＞
ＳｉＯ２粒子（平均粒径０．０４μｍ、比表面積５０ｍ２／ｇ）４０質量部、及び、フッ化ビニリデンとヘキサフルオロプロピレンとのコポリマ６０質量部を混合し、その後、分散媒であるＮ−メチル−２−ピロリドン（ＮＭＰ）を添加し、混練することによりＳｉＯ２粒子及びコポリマの混合物を得た。また、乾燥アルゴン雰囲気下で乾燥したリチウムビス（フルオロスルホニル）イミド（ＬｉＦＳＩ）を電解質塩として用い、イオン液体であるＮ−メチル−Ｎ−プロピルピロリジニウムビス（フルオロスルホニル）イミド（Ｐｙ１３−ＦＳＩ）に、ＬｉＦＳＩを１．５ｍｏｌ／Ｌの濃度で溶解させた（以下、電解質塩を溶解させたイオン液体における電解質塩濃度、電解質塩の種類及びイオン液体の種類を、「電解質塩濃度（ｍｏｌ／Ｌ）／電解質塩の種類／イオン液体の種類」とも表記する。）。
【０１２５】
次に、ＳｉＯ２粒子及びコポリマの混合物と、電解質塩を溶解させたイオン液体とを混合し、電解質組成物を含むスラリを調製した。このとき、ＳｉＯ２粒子と、電解質塩を溶解させたイオン液体との体積比は、ＳｉＯ２粒子：電解質塩を溶解させたイオン液体＝２０：８０であった。得られたスラリを、ポリエチレンテレフタレート製の基材（厚さ４０μｍ）に塗布し、加熱して分散媒を揮発させることにより電解質シートを得た。得られた電解質シートの厚さは、２０±５μｍであった。
【０１２６】
＜電解質層の転写＞
電解質層が正極合剤層と接するように、正極に電解質シートを載せた状態で、加熱型エアーハイドロ式ロールプレス（株式会社サンクメタル製）を用いて、温度６０℃、線圧５００ｋｇ／ｃｍで熱ロールプレス加工することにより、電解質シート（電解質層）を正極上に転写した。
【０１２７】
＜剥離性の評価＞
正極上に転写された電解質シートから基材を剥がし、その際の正極集電体からの正極合剤層の剥離性について、以下の基準に従って評価した。
Ａ：剥離することなく、接触面すべてにおいて接着
Ｂ：部分的に剥離し、他の部分は接着
Ｃ：完全に剥離
【０１２８】
＜密着性の評価＞
正極合剤層と電解質層との間の密着性を正極上に転写された電解質シートから基材を剥がした後に以下の基準に従って評価した。
Ａ：接触面すべてにおいて接着
Ｂ：部分的に未接着であり、他の部分は接着
Ｃ：すべてにおいて未接着
【０１２９】
［実施例２］
熱ロールプレス加工時の温度を８０℃に変更した以外は、実施例１と同様に各工程及び評価を実施した。
【０１３０】
［実施例３］
熱ロールプレス加工時の温度を１００℃に変更した以外は、実施例１と同様に各工程及び評価を実施した。
【０１３１】
［比較例１］
正極集電体上に導電層を設けなかった以外は、実施例１と同様に各工程及び評価を実施した。
【０１３２】
［比較例２］
熱ロールプレス加工時の温度を８０℃とした以外は、比較例１と同様に各工程及び評価を実施した。
【０１３３】
［比較例３］
熱ロールプレス加工時の温度を１００℃とした以外は、比較例１と同様に各工程及び評価を実施した。
【０１３４】
［実施例４］
正極に代えて下記に示す手順で作製した負極を用いた以外は、実施例１と同様にして各工程及び評価を実施した。
【０１３５】
＜負極の作製＞
黒鉛（負極活物質、日立化成（株）製）７６．９質量部、鱗片状黒鉛（導電材、平均粒径７μｍ、日本黒鉛工業（株）製）２．０６質量部、炭素繊維（導電材、平均繊維径１５０ｎｍ、商品名：ＶＧＣＦ−Ｈ、昭和電工（株）製）０．５２質量部、フッ化ビニリデンとヘキサフルオロプロピレンのコポリマ（結着剤）６．５２質量部、リチウム塩を溶解させたイオン液体（１ｍｏｌ／Ｌ／ＬｉＦＳＩ／Ｐｙ１３−ＦＳＩ）１４質量部を混合した。次に、分散媒であるＮＭＰを添加し、混練することによりスラリ状の負極合剤を調製した。この負極合剤を、上記で作製した負極集電体及び導電層の積層体上（導電層上）に塗工量７０ｇ／ｍ２で塗工し、８０℃で加熱して分散媒を揮発させた。次いで、プレスにより合剤密度１．７０ｇ／ｃｍ３まで圧密化し、負極合剤層（厚さ４１μｍ）を形成した。得られた積層体を３．１ｃｍ×４．６ｃｍの角型に打ち抜き、負極とした。
【０１３６】
［実施例５］
熱ロールプレス加工時の温度を８０℃に変更した以外は、実施例４と同様に各工程及び評価を実施した。
【０１３７】
［実施例６］
熱ロールプレス加工時の温度を１００℃に変更した以外は、実施例４と同様に各工程及び評価を実施した。
【０１３８】
［比較例４］
負極集電体上に導電層を設けなかった以外は、実施例４と同様に各工程及び評価を実施した。
【０１３９】
［比較例５］
熱ロールプレス加工時の温度を８０℃に変更した以外は、比較例４と同様に各工程及び評価を実施した。
【０１４０】
［比較例６］
熱ロールプレス加工時の温度を１００℃とした以外は、比較例４と同様に各工程及び評価を実施した。
【０１４１】
各実施例及び比較例の評価結果を表１，２に示す。
【０１４２】
【表１】
2019169444.tif 000010
【０１４３】
【表２】
2019169444.tif 000011
【符号の説明】
【０１４４】
１…二次電池、６…正極、７…電解質層、８…負極、９…正極集電体、１０…導電層、１１…正極合剤層、１２…負極集電体、１３…負極合剤層。
【図１】
2019169444.tif 000012
【図２】
2019169444.tif 000013
【図３】
2019169444.tif 000014
【図４】
2019169444.tif 000015
【図５】
2019169444.tif 000016
【図６】
2019169444.tif 000017